(57)【要約】【課題】表示内容を間違えることなく正確かつ確実に対象物品に貼付することができるラベル貼付確認方法及びラベルを提供する。【解決手段】ラベル１０Ａ〜１０Ｆの表面には、特定の情報１２Ａ〜１２Ｆとともに、その情報が意味する内容をコード化したバーコード１４Ａ〜１４Ｆが表示される。これにより、バーコードリーダを用いたラベル１０Ａ〜１０Ｆの内容チェックが可能になり、見間違いや思い違いなどによる人為的ミスを排除した確実な内容チェックが可能になる。この結果、表示内容を間違えることなく正確かつ確実に対象物品にラベル１０Ａ〜１０Ｆを貼付することができるようになる。【選択図】　　　図１
2004117942.tif 000002
【特許請求の範囲】
【請求項１】
少なくとも販売促進、警告、勧誘、案内、説明等の可読文字や記号、又は意味をなす絵文字等が表面に付されたラベル貼付確認方法において、
前記ラベルの表示内容に関連付けられた識別コードを前記ラベルの表面に付するとともに、前記ラベルとは別に前記識別コードが付されたチェックシートを用意し、該チェックシートの識別コードと前記ラベルの識別コードをコードリーダで読み取り、両者を照合して前記ラベルの貼り間違えをチェックすることを特徴とするラベル貼付確認方法。
【請求項２】
前記チェックシートが他のラベルとして形成され、前記ラベルが貼付される物品に貼付されていることを特徴とする請求項１に記載のラベル貼付確認方法。
【請求項３】
少なくとも販売促進、警告、勧誘、案内、説明等の可読文字や記号、又は意味をなす絵文字等が表面に付されたラベルにおいて、
前記ラベルは、表面に表示内容に関連付けられた識別コードが付されるとともに、該ラベルとは別に前記識別コードが付されたチェックシートが備えられることを特徴とするラベル。
【発明の詳細な説明】
【０００１】
【発明の属する技術分野】
本発明はラベル貼付確認方法及びラベルに係り、特に表面に販売促進、警告、勧誘、案内、説明等の可読文字や記号、又は意味をなす絵文字等が付されたラベル貼付確認方法及びラベルに関する。
【０００２】
【従来の技術】
一般に弁当やパック詰めされた生鮮食品などには、その商品名や製造年月日、販売価格等を表示した商品ラベルがパッケージに貼付される。そして、その商品ラベルには、ラベルに表示された内容をコード化したバーコードが印字される。
【０００３】
特許文献１には、この商品ラベルの表示内容のチェック方法として、商品ラベルに連設して、データチェック用のインデックスラベルを作成し、そのインデックスラベルに商品に印字された数値データに対応するバーコードを印字することが提案されており、商品ラベルに印字されたバーコードとインデックスラベルに印字されたバーコードをチェックすることで商品ラベルに表示された内容をチェックするようにしている。
【０００４】
一方、宅配便などを利用して搬送される商品には、その商品が陶器やガラス製品などのように壊れやすいものの場合、その取り扱いについて作業者に注意を促すために「ワレモノ」等の警告ラベルを貼付することがある。また、スーパーマーケットなどでは、商品の販売促進のために「国内産」などの産地などを表示した販促ラベルを商品に貼付して販売することがある。
【０００５】
従来、これらの警告ラベルや販促ラベルなどのラベルは、表示すべき内容を文字だけで表しており、商品に貼付されたラベルの内容のチェックは、すべて作業者が目視で行なっていた。
【０００６】
【特許文献１】
特開平７−１２９０８７号公報
【０００７】
【発明が解決しようとする課題】
しかしながら、作業者の目視によるチェックでは、作業者の見間違いや思い違いなどによりチェックミスが生じやすく、貼り間違いや貼り忘れを起こしやすいという欠点がある。
【０００８】
本発明は、このような事情に鑑みてなされたもので、表示内容を間違えることなく正確かつ確実に対象物品に貼付することができるラベル貼付確認方法及びラベルを提供することを目的とする。
【０００９】
【課題を解決するための手段】
請求項１に係る発明は、前記目的を達成するために、少なくとも販売促進、警告、勧誘、案内、説明等の可読文字や記号、又は意味をなす絵文字等が表面に付されたラベル貼付確認方法において、前記ラベルの表示内容に関連付けられた識別コードを前記ラベルの表面に付するとともに、前記ラベルとは別に前記識別コードが付されたチェックシートを用意し、該チェックシートの識別コードと前記ラベルの識別コードをコードリーダで読み取り、両者を照合して前記ラベルの貼り間違えをチェックすることを特徴とするラベル貼付確認方法を提供する。
【００１０】
また、請求項２に係る発明は、前記目的を達成するために、前記チェックシートが他のラベルとして形成され、前記ラベルが貼付される物品に貼付されていることを特徴とする請求項１に記載のラベル貼付確認方法を提供する。
【００１１】
また、請求項３に係る発明は、前記目的を達成するために、少なくとも販売促進、警告、勧誘、案内、説明等の可読文字や記号、又は意味をなす絵文字等が表面に付されたラベルにおいて、前記ラベルは、表面に表示内容に関連付けられた識別コードが付されるとともに、該ラベルとは別に前記識別コードが付されたチェックシートが備えられることを特徴とするラベルを提供する。
【００１２】
本発明によれば、ラベルの表面には、販売促進、警告、勧誘、案内、説明等の可読文字や記号、又は意味をなす絵文字等の特定の情報とともに、その表示内容に関連付けられた識別コードが表示される。したがって、ラベルの表示内容をチェックする際、コードリーダを用いてチェックすることができる。これにより、見間違いや思い違いなどによる人為的ミスを排除した確実なチェックが可能になる。この結果、表示内容を間違えることなく正確かつ確実に対象物品にラベルを貼付することができるようになる。
【００１３】
【発明の実施の形態】
以下、添付図面に従って本発明に係るラベル貼付確認方法及びラベルの好ましい実施の形態について詳説する。
【００１４】
図１（ａ）〜（ｄ）は、それぞれ本発明に係るラベルの一実施形態を示す平面図である。
【００１５】
同図に示すように、本実施の形態のラベル１０Ａ〜１０Ｆには、表面に販売促進、警告、勧誘、案内、説明等の可読文字や記号、又は意味をなす絵文字等の特定の情報１２Ａ〜１２Ｆとともに、その情報１２Ａ〜１２Ｆが意味する内容に関連付けられた識別コード（バーコード又は二次元コード等）１４Ａ〜１４Ｆが表示される。
【００１６】
図１　（ａ）　に示すラベル１０Ａは、運送業者等が、いわゆる割れ物に貼付する警告ラベルであり、ラベルの表面に「ワレモノ」という意味を表す記号情報１２Ａとともに、その「ワレモノ」を意味する記号情報１２Ａに関連付けられたバーコード１４Ａが表示されている。
【００１７】
また、図１（ｂ）に示すラベル１０Ｂは、運送業者等が、いわゆる冷凍物等に貼付する警告ラベルであり、ラベルの表面に「要冷蔵」という文字情報１２Ｂとともに、その「要冷蔵」という文字情報１２Ｂをコード化した二次元コード１４Ｂが表示されている。
【００１８】
一方、図１（ｃ）に示すラベル１０Ｃは、いわゆるスーパーマーケット等で商品の販売促進用に用いられる販促ラベルであり、表面に「国内産」という文字情報１２Ｃとともに、その「国内産」という文字情報１２Ｃをコード化したバーコード１４Ｃが表示されている。
【００１９】
同様に図１（ｄ）に示すラベル１０Ｄは、いわゆるスーパーマーケット等で商品の販売促進用に用いられる販促ラベルであり、表面に「本マグロ」という文字情報１２Ｄとともに、その「本マグロ」という文字情報１２Ｄをコード化した二次元コード１４Ｄが表示されている。
【００２０】
また、図１（ｅ）　に示すラベル１０Ｅは、注意を促すために使用される警告ラベルであり、表面に「注意」を意味する「！」という記号情報１２Ｅとともに、その記号情報１２Ｅが意味する内容をコード化したバーコード１４Ｅが表示されている。
【００２１】
また、図１　（ｆ）　に示すラベル１０Ｆは、ラベルの表面に特定の情報を意味する「４６−３５」というコード情報１２Ｆとともに、その「４６−３５」というコード情報１２Ｆを同じ意味内容の二次元コード１４Ｆが表示されている。
【００２２】
このように本実施の形態のラベル１０Ａ〜１０Ｆには、そのラベルの表面に特定の情報１２Ａ〜１２Ｆとともに、その情報１２Ａ〜１２Ｆが意味する内容をコード化した識別コード（バーコード又は二次元コード等）１４Ａ〜１４Ｆが表示される。したがって、物品に貼付されたラベルの内容をチェックする際、作業者による目視でのチェックに加えて、バーコードリーダ等のコードリーダを用いたチェックが可能になる。これにより、人為的なミスを排除して、確実な内容チェックができる。この結果、表示内容を間違えることなく正確かつ確実にラベル１０Ａ〜１０Ｆを対象物品に貼り付けることができる。
【００２３】
なお、ラベルには、あらかじめ所定の情報が印刷される「固定情報ラベル」と、発行時にプリンタにて所定の情報が印刷される「可変情報ラベル」の２種類があるが、「固定情報ラベル」の場合には、ラベルの余白部（端部等）に表示すべき内容をコード化した識別コードを印刷しておく。一方、「可変情報ラベル」の場合は、ラベル発行時に可変情報に加えて表示すべき内容をコード化した識別コードを印字する。
【００２４】
次に、本発明に係るラベル貼付確認方法の一例を図２及び図３に基づいて説明する。なお、ここでは宅配業において、宅配物に警告ラベルを貼付する場合を例に説明する。
【００２５】
図２（ａ）に示すように、依頼人は、送り先や送り主、品名等を書き込んだ宅配伝票２を宅配物１に貼り付けて宅配業者に商品の宅配を依頼する。この際、宅配物１が、割れ物や生もの等の場合には、その旨を宅配伝票２に記入する。
【００２６】
宅配業者は、依頼を受けると、図２（ｂ）に示すように、宅配伝票２の記載内容に基づいて着店コード３Ａを印字した着店コードラベル３を発行し、宅配物１に貼付する。この際、宅配物１が、割れ物や生もの等の場合には、図３に示すように、そのことを意味するバーコード３Ｂを着店コード３Ａとともに印字して着店コードラベル（チェックシート）　３を発行する。なお、本例では宅配物１が割れ物であるものとし、割れ物を意味するバーコード３Ｂを着店コード３Ａとともに印字して着店コードラベル３を発行する。
【００２７】
集配所に集められた宅配物１は、図２（ｃ）に示すように、集配所に集められ、ここで宅配伝票２の記載内容に基づいて警告ラベル（ラベル）４が貼付される。この警告ラベル４には、図３に示すように、警告内容４Ａとともに、その警告内容をコード化したバーコード４Ｂが、あらかじめ印刷されている。
【００２８】
集配所では、警告ラベル４の内容をチェックするため、作業者が宅配伝票２の記載内容と警告ラベル４の記載内容とを目視でチェックするとともに、図２（ｄ）に示すように、着店コードラベル３に印字されたバーコード３Ｂと、警告ラベル４に印刷されたバーコード４Ｂをバーコードリーダで読み取り、これを照合する。
【００２９】
ここで、このバーコードリーダには、照合機能が備えられているものとし、読み取った２つのバーコードが一致するか否かを照合できるものとする。この照合の結果は、「ＯＫ」又は「ＮＧ」として、図２（ｅ）　に示すように、バーコードリーダに備えられたディスプレイ５に表示する。
【００３０】
このように、宅配物１に警告ラベル４を貼付する場合、その警告ラベル４のバーコード４Ｂと同じバーコード３Ｂを着店コードラベル（チェックシート）　３に印字しておく。これにより、バーコードリーダで両者の照合が可能になり、人為的なチェックミスを排除することができる。この結果、宅配物１に対して正確かつ確実に警告ラベル４を貼付することができる。
【００３１】
なお、本例では、内容チェック用のバーコードを着店コードラベル３に印字するようにしているが、この内容チェック用のバーコードのみが印字されたラベルを発行し、宅配物１に貼付するようにしてもよい。
【００３２】
また、チェックシートはラベルとして作成するのではなく、紙にプリントしておくようにしてもよい。この場合、たとえば、警告内容とその警告内容をコード化したバーコードの一覧表（チェックシート）をあらかじめ用意しておく。集配所では、宅配伝票の記載内容と警告ラベルの記載内容とを目視でチェックするとともに、宅配伝票の記載内容から該当する警告内容のバーコードを一覧表から読み取る。そして、警告ラベルに印刷されたバーコードと照合し、正しい警告ラベルが貼付されているか否かをチェックする。また、宅配の依頼時に宅配伝票とは別に警告内容を意味するバーコードが付された伝票を発行し、この伝票に付されたバーコードと警告ラベルに付されたバーコードとを照合して、貼り間違いのチェックを行なうようにしてもよい。
【００３３】
さらに、本例では、警告ラベル４に警告内容４Ａとともに、その警告内容をコード化したバーコード４Ｂを印刷しているが、警告内容４Ａをコード化した二次元コード等の識別コードを印刷してもよい。
【００３４】
また、バーコードリーダにデータとしてチェック用のバーコードを記憶させておき、このバーコードリーダに記憶されたデータと警告ラベル４に印刷されたバーコード４Ｂとを照合するようにしてもよい。
【００３５】
図４は、本発明に係るラベルの貼付確認方法の他の例を示しており、スーパーマーケットなどで商品６に貼付される販促ラベル７の貼付確認方法の一例を示している。
【００３６】
同図に示すように、商品（たとえば、パック詰商品）６には、商品ラベル８とともに販促ラベル７が貼付される。
【００３７】
商品ラベル８には、その発行に際して商品名や加工日、価格等の所定の情報とともに、これらの情報をコード化した商品バーコード８Ａが印字される。また、これと同時に、商品６に貼付すべき販促ラベル７の内容をコード化したチェック用バーコード８Ｂが印字される。
【００３８】
なお、ここでは、販促ラベル７として表面に「国内産」と表示された販促ラベルを貼付するものとし、この「国内産」を意味するチェック用バーコード８Ｂが、商品ラベル８に印字されるものとする。
【００３９】
一方、販促ラベル７には、「国内産」という文字情報７Ａに加えて、その「国内産」を意味するバーコード７Ｂが印刷される。
【００４０】
販促ラベル７の貼付確認は、次のように行われる。すなわち、販促ラベル７を商品６に貼り付けたあと、販促ラベル７に印刷されたバーコード７Ｂと商品ラベル８に印字されたチェック用バーコード８Ｂをバーコードリーダで読み取り、両者を照合する。これにより、目視による人為的なチェックミスを排除でき、商品６に対して正確かつ確実に販促ラベル７を貼付することができる。
【００４１】
以上説明したように、本実施の形態のラベルによれば、ラベルの表面に表示内容をコード化したバーコードを併せて表示することにより、バーコードリーダを用いた内容チェックが可能になり、人為的なチェックミスを排除した、正確かつ確実な内容チェックができるようになる。
【００４２】
また、このようにラベルに表示内容をコード化したバーコードを併せて表示することにより、ラベルの表示内容を読み取ることができ、これをデータとして保存しておくことができるようになる。これにより、たとえばＨＡＣＣＰ、トレサビリティにも利用することができるようになる。
【００４３】
【発明の効果】
以上説明したように、本発明によれば、ラベルの表面に表示内容に関連付けられた識別コードを併せて表示することにより、コードリーダを用いてラベルの表示内容のチェックが可能になる。
【図面の簡単な説明】
【図１】本発明に係るラベルの一実施形態を示す平面図
【図２】本発明に係るラベルの貼付確認方法の一実施形態を示す説明図
【図３】ラベルの貼付確認方法の一例を示す説明図
【図４】ラベルの貼付確認方法の他の例を示す説明図
【符号の説明】
１…宅配物、２…宅配伝票、３…着店コードラベル（チェックシート）、３Ａ…着店コード、３Ｂ…バーコード（識別コード）、４…警告ラベル（ラベル）、４Ａ…警告内容、４Ｂ…バーコード（識別コード）、５…ディスプレイ、６…商品、７…販促ラベル、７Ａ…文字情報、７Ｂ…バーコード（識別コード）、８…商品ラベル、８Ａ…商品バーコード、８Ｂ…チェック用バーコード、１０Ａ〜１０Ｆ…ラベル、１２Ａ〜１２Ｆ…情報、１４Ａ、１４Ｃ、１４Ｅ…バーコード（識別コード）、１４Ｂ、１４Ｄ、１４Ｆ…二次元コード（識別コード）
【図１】
2004117942.tif 000003
【図２】
2004117942.tif 000004
【図３】
2004117942.tif 000005
【図４】
2004117942.tif 000006